【事件の表示】
　特許第６１６１４０５号発明「椅子」の特許異議申立事件について、次のとおり決定する。
【結　論】
　特許第６１６１４０５号の特許請求の範囲を訂正請求書に添付された特許請求の範囲のとおり，訂正後の請求項〔１−４〕について訂正することを認める。
　特許第６１６１４０５号の請求項１乃至４に係る特許を維持する。
【理　由】
第１　手続の経緯
　本件特許第６１６１４０５号の請求項１乃至４に係る特許についての出願は，平成２５年５月２２日（以下「本件出願日」という。）に特許出願したものであって，平成２９年６月２３日付けでその特許権の設定登録がなされ，その後，その特許に対し，平成３０年１月１２日に特許異議申立人赤松智信により特許異議の申立てがなされたものである。そして，その後の手続の経緯は以下のとおりである。
　平成３０年　４月２４日：取消理由通知書（同年４月２７日発送）
　平成３０年　６月１１日：訂正請求書，意見書（特許権者提出）
　平成３０年　６月２６日：取消理由通知書（決定の予告）（同年６月２９日発送）
　平成３０年　８月２１日：訂正請求書，意見書（特許権者提出）
　平成３０年　９月１０日：訂正請求があった旨の通知書（同年９月１３日）
　平成３０年１０月１２日：意見書（特許異議申立人提出）
第２　訂正の目的の適否，新規事項の有無，及び特許請求の範囲の拡張・変更の存否について
　１　請求の趣旨及び訂正の内容
　平成３０年９月１０日に提出された訂正請求書による訂正（以下「本件訂正」という。）の内容は，本件特許６１６１４０５号（以下「本件特許」という。）の願書に添付した特許請求の範囲を，訂正請求書に添付した特許請求の範囲のとおりに訂正することを求めるものである。
　そして，その訂正内容は，以下のとおりである。
　訂正事項１
　請求項１において
　「前記肘掛け本体と前記被取付部とを側面視においてくの字状に屈曲した形状をなすように一体に成形しているものであることを特徴とする」とあるのを，
　「前記肘掛け本体と前記被取付部とを側面視においてくの字状に屈曲した形状をなすように一体に成形しているものであり，同一構造をなす他の椅子の被取付部の背面と本件椅子の被取付部の前面とが当接又は近接する状態で当該他の椅子をスタッキングさせることができるようにしたものであり，前記被取付部が下方に開口する有底筒状をなしたものであり，前記被取付部の前後方向の外形寸法が，前記被取付部の左右方向の外形寸法よりも小さく設定されていることを特徴とする」に訂正する。
　訂正事項２
　願書に添付した明細書の段落【０００７】において，
　「前記肘掛け本体と前記被取付部とを側面視においてくの字状に屈曲した形状をなすように一体に成形しているものである。」とあるのを，
　「前記肘掛け本体と前記被取付部とを側面視においてくの字状に屈曲した形状をなすように一体に成形しているものであり，同一構造をなす他の椅子の被取付部の背面と本件椅子の被取付部の前面とが当接又は近接する状態で当該他の椅子をスタッキングさせることができるようにしたものであり，前記被取付部が下方に開口する有底筒状をなしたものであり，前記被取付部の前後方向の外形寸法が，前記被取付部の左右方向の外形寸法よりも小さく設定されている。」に訂正する。
　訂正事項３
　願書に添付した明細書の段落【００５９】の記載を削除する。
　訂正事項４
　願書に添付した明細書の段落【００６４】から「ｕ」の記載を削除する。
　訂正事項５
　願書に添付した明細書の段落【００６６】の記載を削除する。
　２　当審の判断
　（１）　訂正事項１について
　訂正事項１は，椅子の被取付部に関して，他の椅子とスタッキングした際に，該被取付部同士が，どの部位において当接又は近接するかを限定し，さらに被取付部の形状を限定したものであるから，特許法第１２０条の５第２項ただし書第１号に規定する特許請求の範囲の減縮を目的とするものである。
　そして，訂正事項１の訂正の内容に関しては，明細書の段落【００３０】に「
被取付部ｕは，支持フレーム１の後脚１１に接続する部位をなすもので，下方に開口する有底筒状のものである
被取付部ｕの前後方向の外径寸法は，被取付部ｕの左右方向の外径寸法よりも小さく設定されている
本実施形態の椅子Ｓは，図５に示すように，同一構造をなす他の椅子Ｓ’の被取付部ｕ’が，被取付部ｕに当接する状態で当該他の椅子Ｓ’をスタッキングできるようになっている。より具体的に言えば，他の椅子Ｓ’の被取付部ｕ’の背面と，椅子Ｓの被取付部ｕの前面とが当接する状態でスタッキングできるようになっている
　よって，特許法第１２０条の５第９項で準用する特許法第１２６条第５項及び特許法第１２６条第６項の規定に適合するものである。
　（２）　訂正事項２について
　訂正事項２は，訂正事項１によって請求項１が訂正されたことに伴い，発明の詳細な説明における請求項１に関連する段落の記載を，訂正事項１に合わせて訂正するものであるから，特許法第１２０条の５第２項ただし書第３号に規定する明瞭でない記載の釈明を目的とするものである。
　そして，訂正事項２は，訂正事項１と実質的に同じ内容であるから，新規事項の追加に該当せず，また，実質上特許請求の範囲を拡張し，又は変更するものではない。
　よって，特許法第１２０条の５第９項で準用する特許法第１２６条第５項及び特許法第１２６条第６項の規定に適合するものである。
　（３）　訂正事項３について
　訂正事項３は，訂正事項１によって請求項１において「椅子に同一構造をなす他の椅子をスタッキング可能なもの」と限定して訂正されたされたことに伴い，訂正事項１と整合性をとるために，「同一構造をなす他の椅子をスタッキング可能に構成していなくても良い」ことを排除するための訂正であるから，特許法第１２０条の５第２項ただし書第３号に規定する明瞭でない記載の釈明を目的とするものである。
　そして，訂正事項３は，訂正事項１と整合性をとる内容であるから，訂正事項１が新規事項の追加に該当せず，また，実質上特許請求の範囲を拡張し，又は変更するものではない以上，訂正事項３は，新規事項の追加に該当せず，また，実質上特許請求の範囲を拡張し，又は変更するものではない。
　よって，特許法第１２０条の５第９項で準用する特許法第１２６条第５項及び特許法第１２６条第６項の規定に適合するものである。
　（４）　訂正事項４について
　訂正事項４は，具体的には訂正前の「他の椅子の被取付部ｕ」を「他の椅子の被取付部」と訂正するものである。
　ここで，明細書の段落【００３１】に「本実施形態の椅子Ｓは，図５に示すように，同一構造をなす
他の椅子Ｓ’の被取付部ｕ’
椅子Ｓの被取付部ｕ
　したがって，訂正前の「他の椅子の被取付部ｕ」は，「他の椅子の被取付部」の誤記であることが明らかであるから，訂正事項４は特許法第１２０条の５第２項ただし書第２号に規定する誤記の訂正を目的とするものである。
　そして，訂正事項４は，誤記の訂正にすぎないから，新規事項の追加に該当せず，また，実質上特許請求の範囲を拡張し，又は変更するものではない。
　よって，特許法第１２０条の５第９項で準用する特許法第１２６条第５項及び特許法第１２６条第６項の規定に適合するものである。
　（５）　訂正事項５について
　本件特許において支持フレームは，請求項１に「金属製のパイプ材により構成され，…た支持フレーム」と記載されているとおり「金属製のパイプ材」であることを限定しているところ，明細書の段落【００６６】には，訂正前の「支持フレーム」が「金属製の丸棒無垢材」を用いたものであっても良いと記載されている。
　そして，上記「金属製の丸棒無垢材」に係る記載のある明細書の段落【００６６】を削除することによって，訂正前の「支持フレーム」が「金属製の丸棒無垢材」を用いたものであっても良いとしていたものを排除して，請求項の記載と整合性をとる訂正事項５は，特許法第１２０条の５第２項ただし書第３号に規定する明瞭でない記載の釈明を目的とするものである。
　そして，訂正事項５は，支持フレームに複数種類の素材を用いることを許容していたものから，請求項に記載された一種類の素材に限定して，請求項の記載と整合性をとる内容であるから，新規事項の追加に該当せず，また，実質上特許請求の範囲を拡張し，又は変更するものではない。
　よって，特許法第１２０条の５第９項で準用する特許法第１２６条第５項及び特許法第１２６条第６項の規定に適合するものである。
　（５）　特許出願の際に独立して特許を受けることができること
　本件特許についての特許異議の申立て事件では，訂正前の請求項１乃至４について特許異議の申立ての対象とされているから，本件訂正における訂正前の請求項１及び４に係る訂正事項１に関して，特許法第１２０条の５第９項で読み替えて準用する同法第１２６条第７項の独立特許要件は課されない。
　（６）　一群の請求項等について
　訂正前の請求項１乃至４について，請求項２乃至４は，それぞれ請求項１を直接的又は間接的に引用しているものであって，訂正事項１によって記載が訂正される請求項１に連動して訂正されるものである。したがって，訂正前の請求項１乃至４に対応する訂正後の請求項１乃至４は，特許法第１３４条の２第３項に規定する一群の請求項である。
　（７）　小括
　以上のとおりであるから，本件訂正請求による訂正は特許法第１２０条の５第２項ただし書第第１号又は２号又は３号に掲げる事項を目的とするものであり，かつ，同条第９項において準用する同法第１２６条第５項及び第６項までの規定に適合するので，訂正後の請求項１乃至４について訂正を認める。
第３　取消理由について
　１　本件訂正特許発明
　本件訂正請求により訂正された請求項１乃至４に係る発明（以下，「本件訂正特許発明１」，「本件訂正特許発明２」などという。）は，その特許請求の範囲の請求項１乃至４に記載された次の事項により特定されるとおりのものである。
　「【請求項１】
金属製のパイプ材により構成され，後脚と，この後脚の下端部に連続させて前方に延出するベースと，このベースの前端に連続し上方に起立する前脚と，この前脚の上端に連続し後方に延出する座受とを共通のパイプ材により一体に形成し，側面視において閉ループ構造を有した支持フレームと，この支持フレームに肘掛けを介して支持された背凭れとを備えてなる椅子であって，
前記背凭れと前記肘掛けとが樹脂により一体に成形されたものであり，
前記肘掛けが，前後方向に延び後端が前記背凭れに連設された肘掛け本体と，この肘掛け本体の前端に設けられ前記後脚の上端部に備えた取付部に取り付けられる被取付部とを備えてなり，
前記肘掛け本体と前記被取付部とを側面視においてくの字状に屈曲した形状をなすように一体に成形しているものであり，同一構造をなす他の椅子の被取付部の背面と本件椅子の被取付部の前面とが当接又は近接する状態で当該他の椅子をスタッキングさせることができるようにしたものであり，前記被取付部が下方に開口する有底筒状をなしたものであり，前記被取付部の前後方向の外形寸法が，前記被取付部の左右方向の外形寸法よりも小さく設定されていることを特徴とする椅子。
【請求項２】
前記パイプ材として直径１３．１ｍｍ〜１５ｍｍのものが適用されている請求項１記載の椅子。
【請求項３】
前記肘掛け本体の肘当てが，水平面に対して前傾する肘当て面を当該肘当ての上面全域に有したものである請求項１又は２記載の椅子。
【請求項４】
前記座受の後端が，側面視において前記後脚と前記座受とが交差する位置よりも後方に位置している請求項１，２又は３記載の椅子。」
２　取消理由の概要
　（１）平成３０年６月２６日付けで通知した取消理由
　当審において，平成３０年６月２６日付けで通知した取消理由の要旨は，次のとおりである。
　請求項１乃至４に係る特許は，本件出願日前に日本国内において頒布された下記の引用文献１乃至４に記載された発明に基づいて，その出願前にその発明の属する技術の分野における通常の知識を有する者が容易に発明をすることができたものであるから，特許法第２９条第２項の規定により特許を受けることができない。
３　刊行物の記載
　（１）引用文献１：特開２０１２−９５９３１号公報（異議申立書における甲第１号証）
　ア　「【００２１】
　以下，本発明の実施形態を，図面に基づいて説明する。
　図１〜図４に示すように，
椅子は，脚体１，座２，背凭れ３，及び左右１対の肘掛け４，４を備えている
【００２２】
　
脚体１は，金属パイプを側面視ほぼ台形状に折曲して形成された左右１対の側脚５，５
【００２３】
　
左右の側脚５，５の上部における後方を向く上部脚杆５ａ，５ａの後端部には，短寸の折曲部５ｂ，５ｂが内向き対向状に連設され，この両折曲部５ｂの後面を，後部連結杆７の両側端部の前面下部に溶接することにより，左右の側脚５，５は，側面視ほぼ台形状に形成されている
左右の上部脚杆５ａ，５ａと，前部連結杆６と，後部連結杆７とにより，座２の下面を支持するほぼ水平かつ平面視方形枠状の座支持杆８が構成されている
【００２４】
　
左右の側脚５，５における上下方向を向く後部脚杆５ｃ，５ｃの上部同士は，後部連結杆７により連結されている
後部脚杆５ｃ，５ｃの上部同士が，後部連結杆７により連結されている
　
後部連結杆７より上方に突出する部分は，背凭れ３の両側部を支持するための背凭れ支持杆９，９とされている
　
　イ　「【００２６】
　座２は，硬質合成樹脂により形成された平面視方形枠状の座フレーム１２と，この座フレーム１２の内周面に外周縁を一体成形することにより，座フレーム１２の枠内に張設された下方に弾性変形可能なメッシュ状の可撓性座板１３とからなっている。座フレーム１２の後端の左右方向の中央部には，座フレーム１２の左右の後隅部に切欠部１４，１４を形成することにより，後向突部１４ａが連設されている。
【００２７】
　
背凭れ３は，上記座２と同様に，正面視方形枠状をなす硬質合成樹脂製の背フレーム１５と，その枠内に一体的に張設された後方に弾性変形可能なメッシュ状の可撓性背板１６とからなり
　背フレーム１５における左右の側部フレーム１５ａ，１５ａの下部には，上記座２の切欠部１４，１４に嵌合可能な左右１対の角形をなす下向突部１７，１７が一体的に突設されている。両下向突部１７の下面は，後部連結杆７の両側端部に上方より嵌合しうるように，側面視上向円弧状の曲面とされている。
【００２８】
　図５及び図７に示すように，
背フレーム１５における左右の側部フレーム１５ａ，１５ａの下部には，上述した左右の背凭れ支持杆９，９に嵌合可能な上下方向の取付孔１８，１８が，下向突部１７，１７を貫通して下方に開口するように形成されている
　
　ウ　「【００３０】
　
左右の肘掛け４，４は，上下方向を向く角柱状の取付基部４ａと，この取付基部４ａの上端に前向きとして連設され，後端部が若干外向きに折曲された平板状の肘当て部４ｂとからなり，全体が合成樹脂により一体成形されている
　図５に示すように，取付基部４ａの下端部には，上記肘掛け支持金具１１の上向突部１１ａに嵌合可能な下方に開口する四角形断面の取付孔２０が形成され，同じく内側面には，成形材料を節約するために，上下複数の肉抜き凹部２１が形成されている。
　また，背凭れ支持杆９の上部の開口端部には，肘掛け４の取付基部４ａをボルト止めするための左右方向を向くめねじ孔２２が穿設された軸状の取付金具２３の下端部が圧嵌されている。なお，このような取付金具２３を取り付けないで，若干長寸とした背凭れ支持杆９の上部に，左右方向のめねじ孔を直接設けてもよい。
【００３１】
　椅子を組立てるには，まず，
左右の背凭れ支持杆９，９に，背凭れ３における左右の側部フレーム１５ａ，１５ａの下部の取付孔１８を
上方より嵌合し，背凭れ３を左右の背凭れ支持杆９，９により支持する
【００３２】
　ついで，図５に示すように，左右の肘掛け支持金具１１の上向突部１１ａに，
肘掛け４における取付基部４ａの下端部の取付孔２０を，上方より嵌合して支持したのち，取付基部４ａの上端部の段付孔２４に外側方より挿入したボルト２５を，側部フレーム１５ａの下部の側面に設けた通孔２６に挿通して，背凭れ支持杆９の上端に取付けた取付金具２３のめねじ孔２２に螺合する。これにより，肘掛け４は，背凭れ３の側部フレーム１５ａの外側面に固定され，かつ同時に，背凭れ３の側部フレーム１５ａも，共通のボルト２５により背凭れ支持杆９に固定される
　
　エ　上記摘記事項ア，【図２】及び【図４】から，
「側脚５」は，背凭れ支持杆９から後部脚杆５ｃ，後部脚杆５ｃの下端部から屈曲して前方に延伸する部分
下部脚杆の前端部から屈曲して上方に延伸する部分
前部脚杆の上端部から屈曲して後方に延伸する上部脚杆５ａ，上部脚杆５ａの後端部から屈曲して内向きに延伸する短寸の折曲部５ｂにかけて，連続した金属パイプで，側面視において閉ループ状に構成されている
　
　オ　【図４】及び【図５】から，
肘掛け４の取付基部４ａは，平板状の肘当て部４ｂの後端に設けられている
　
　上記ア乃至オによれば，引用文献１には以下の発明（以下，「引用発明１」という。）が記載されていると認められる。
　「金属パイプを側面視ほぼ台形状に折曲して形成された左右１対の側脚であって，
　左右の側脚における上下方向を向く後部脚杆の上部同士は，後部連結杆により連結され，
　左右の側脚の上部における後方を向く上部脚杆の後端部には，短寸の折曲部が内向き対向状に連設されるとともに，後部連結杆より上方に突出する部分は，背凭れの両側部を支持するための背凭れ支持杆とされ，
　該両折曲部の後面を，後部連結杆の両側端部の前面下部に溶接することにより，左右の側脚は，側面視ほぼ台形状に形成され，
　左右の上部脚杆と，前部連結杆と，後部連結杆とにより，座の下面を支持するほぼ水平かつ平面視方形枠状の座支持杆が構成され，
　背凭れは，正面視方形枠状をなす硬質合成樹脂製の背フレームと，その枠内に一体的に張設された後方に弾性変形可能なメッシュ状の可撓性背板とからなり，
　背フレームにおける左右の側部フレームの下部には，左右の背凭れ支持杆に嵌合可能な上下方向の取付孔が，下向突部を貫通して下方に開口するように形成され，
　左右の背凭れ支持杆に，背凭れにおける左右の側部フレームの下部の取付孔を，上方より嵌合し，背凭れを左右の背凭れ支持杆により支持し，
　左右の肘掛けは，上下方向を向く角柱状の取付基部と，この取付基部の上端に平板状の肘当て部の後端が連設されて全体が合成樹脂により一体成形され，
　取付基部の上端部の段付孔に外側方より挿入したボルトを，側部フレームの下部の側面に設けた通孔に挿通して，背凭れ支持杆の上端に取付けた取付金具のめねじ孔に螺合されることで，肘掛けは，背凭れの側部フレームの外側面に固定され，かつ同時に，背凭れの側部フレームも，共通のボルトにより背凭れ支持杆に固定されるものであって，
　背凭れ支持杆，後部脚杆，下部脚杆，前部脚杆，上部脚杆，折曲部５ｂにかけて，連続した金属パイプで，側面視において閉ループ状に構成される椅子。」
　（２）引用文献２：欧州特許第１４１３２２９号明細書（異議申立書における甲第２号証），（訳文は，異議申立人が平成３０年４月１７日に提出した「甲第２号証の全文全訳」による。）
　ア「図に示す
椅子は座部２−５から成り，当該座部はフレーム１に担持される
　
　イ「
フレーム１は概ね管材料から成り，前脚１０，１０’及び後脚１１，１１’を有する
　
　ウ「
前脚１０，１０’は上方で，水平に延在する弓型部１２に接続し，当該弓型部は座部のための受容面を形成する。両の後脚１１，１１’は，後方領域に溶接された結合体１３，１３’を用いて，それぞれ外側から弓型部１２に設けられており
　エ「
後脚１１，１１’の上端部１１１，１１１’には，単一部材型もたれ部７が載置され，当該もたれ部は，二つの同一の肘掛け７１，７１’と，当該肘掛けから延びる結合部７０，７０’と背もたれ７２とに分けられる。結合部７０，７０’からは管体７３，７３’が突出し，当該管体は上端部１１１，１１１’に固定的に挿入されるように定められている
　
　オ「
管体７３，７３’は好ましくは，もたれ部７のプラスチック質量体に鋳込まれており
　
　カ　Fig.1B，Fig.2，Fig.5A，及びFig.5Bから，
肘掛け７１，７１’と，当該肘掛けから延びる結合部７０，７０とは，側面視においてくの字状に屈曲した形状である
　
　キ　上記摘記事項エ，Fig.5A，及びFig.5Bから，
肘掛け７１，７１’が，前後方向に延び，肘掛け７１，７１’の後端には背もたれ７２が連接され，前端には肘掛けから延びる結合部７０，７０が連接され，結合部７０，７０’から突出した管体７３，７３’が上端部１１１，１１１’に固定的に挿入される
　
　ク　Fig.1B及びFig.6から，
座部のための受容面の後端が，側面視において後脚１１，１１’が弓型部１２に設けられた箇所よりも後方に位置している
　上記ア乃至クによれば，引用文献２には以下の事項（以下，「引用発明２」という。）が記載されていると認められる。
　「座部を担持するフレームであって，
　フレームは概ね管材料から成り，前脚及び後脚を有し，
　前脚は上方で，水平に延在して座部のための受容面を形成するする弓型部に接続し，
　後脚は，後方領域に溶接された結合体を用いて，それぞれ外側から弓型部に設けられ，
　後脚の上端部には，プラスチック質量体からなる単一部材型もたれ部が載置され，当該もたれ部は，二つの同一の肘掛けと，当該肘掛けから延びる結合部と背もたれとに分けられるものであって，
　肘掛けが，前後方向に延び，肘掛けの後端には背もたれが連接され，肘掛けの前端には結合部が連接され，
　結合部からは管体が突出し，当該管体は後脚の上端部に固定的に挿入され，
　肘掛けと，当該肘掛けから延びる結合部とは，側面視においてくの字状に屈曲した形状であり，
　座部のための受容面の後端が，側面視において後脚が弓型部に設けられた箇所よりも後方に位置している椅子。」
　（３）引用文献３：特許第５１２６７６７号公報
　　ア「【００１５】
　
本実施形態に係る椅子
　
　イ「【００２３】
　前記背凭れ３は，前記前記図１，図３，及び図４に示すように，
背凭れ面３ａを有する背凭れ本体３１と，この背凭れ本体３１の左右両側縁部から延伸する装着部３２とを有する
　
　ウ　【図３】及び【図６】から，
肘当て部２２と肘当て部２２が挿入された装着部３２は，水平面に対して前傾している
　
　エ　
肘当て部２２が挿入された装着部３２とが一体となって，肘掛け本体を構成し，そこに，使用者の肘を載置することが可能な肘当てが存在する
肘当ての上面全域が肘当て面となること
　上記ア乃至エより，引用文献３には以下の事項（以下，「引用発明３」という。）が記載されていると認められる。
　「肘掛け本体の肘当部てが，水平面に対して前傾する肘当て面を当該肘当ての上面全域に有する椅子。」
　（４）引用文献４：特公昭５５−４４０４号公報（異議申立書における甲第４号証）
　ア「
本発明は椅子に係り
　
　イ「チ
ューブのフレーム部分２１はその形状が対称の２本の互に補足し合う側部分を背もたれの中央で連結することにより単一部材を構成している。背もたれ２３の背後の位置から出発するチューブのフレーム部分２１には湾曲状背もたれ支えを形成する湾曲した水平背もたれ部分３３がある。
　湾曲状背もたれ支えは続いて水平の右肘掛３２に至り（第１図），肘掛３２は前方へかなりの長さに延びて快適な肘掛を提供する。肘掛パッド１１３は以下に詳細に説明するように装着することができる。その後チューブのフレーム部分は肘掛３２の前部で湾曲され，下方かつ後方へ一直線に延長して肘掛の支え３１と後脚３０を形成する
　ウ「
パッド１１３，１１４は
その末端は椅子の背面パネル２３後方の湾曲したテーパ内の後部１１７を形成
　フレームが肘掛３２，３５を提供すると同時に椅子の幅に余分なものを加えない設計である。これは本発明の重要な特徴である。さらにパッド１１３．１１４も椅子の幅をそれ以上増さない設計となっている。従って椅子は第６，１６，１７図が示すように座席間の空間を増さずに横方向に連結され得る。
　
２個又はそれ以上のＴ型ナツト１１８がプラスチック肘掛内に成形されており，肘掛は第１８図に示す椅子のチューブフレーム肘掛１２０の上表面にある穴１１９に適合する
各Ｔ型ナツト毎に楕円形の先端ねじ１２１によって適所に支持され，チューブ１２０の下表面の穴１２２に挿入されて，Ｔ型ナツト１１８中にしっかりと通される
　エ　ＦＩＧ．１，ＦＩＧ．２及びＦＩＧ．４から，
湾曲した後チューブ４９が，後脚３０，３７と水平部分２７，４０とが交差する位置よりも後方に位置している
　
　オ　
湾曲した後チューブ４９と水平部分２７，４０とが座受を構成している
　
　上記ア乃至オより，引用文献４には以下の発明（以下，「引用発明４」という。）が記載されていると認められる。
　「チューブのフレーム部分２１はその形状が対称の２本の互に補足し合う側部分を背もたれの中央で連結することにより単一部材を構成し，
　背もたれ２３の背後の位置から出発するチューブのフレーム部分２１には湾曲状背もたれ支えを形成する湾曲した水平背もたれ部分３３があり，
　湾曲状背もたれ支えは続いて水平の右肘掛３２に至り，肘掛３２は前方へかなりの長さに延びて快適な肘掛を提供し，その後チューブのフレーム部分は肘掛３２の前部で湾曲され，下方かつ後方へ一直線に延長して肘掛の支え３１と後脚３０を形成するものであり，　肘掛パッド１１３，１１４は椅子の背面パネル２３後方の湾曲したテーパ内の後部１１７を形成し
　２個又はそれ以上のＴ型ナツト１１８がプラスチック肘掛内に成形されており，肘掛はチューブフレーム肘掛１２０の上表面にある穴１１９に適合して，該各Ｔ型ナツト毎に楕円形の先端ねじ１２１によって適所に支持され，チューブ１２０の下表面の穴１２２に挿入されて，Ｔ型ナツト１１８中にしっかりと通される椅子であって，
　座受を構成する湾曲した後チューブ４９と水平部分２７，４０であって，湾曲した後チューブ４９が，後脚３０，３７と水平部分２７，４０とが交差する位置よりも後方に位置している椅子。」
　（５）異議申立書における甲第３号証：特開２００４−１９４９１８号公報
　ア「【００１７】
本実施形態の
椅子１８は
４本の脚１９，これら脚１９を繋ぐ前後の横フレーム２０，座２１，背凭れ２２等によって構成されている
背凭れ２２の左右には着座者が肘を掛けることができる狭小な肘掛け２３が設けられている
　イ　【図８】から，背凭れ２２と肘掛け２３とは単一の部材であることが看て取れる。
　上記ア及びイより，甲第３号証には以下の発明（以下，「甲第３号証に記載の発明」という。）が記載されていると認められる。
　「４本の脚１９，これら脚１９を繋ぐ前後の横フレーム２０，座２１，背凭れ２２と，該背凭れ２２の左右には着座者が肘を掛けることができる狭小な肘掛け２３が設けられており，背凭れ２２と肘掛け２３とは単一の部材である椅子１８。」
４　判断
ア　対比
　本件訂正特許発明１と引用発明１とを対比する。
　引用発明１の「金属パイプ」は，本件訂正特許発明１の「金属製のパイプ材」に相当する。
　以下同様に，「後部脚杆」は，「後脚」に，
　「下部脚杆」は，「ベース」に，
　「前部脚杆」は，「前脚」に，
　「上部脚杆」は，「座受」に，
　「側脚」は，「支持フレーム」に，
　「背凭れ」は，「背凭れ」に，
　「肘掛け」は，「肘掛け」に，
　「肘当て部」は，「肘掛け本体」に，
　「合成樹脂」は，「樹脂」に，
　「椅子」は，「椅子」に，それぞれ相当する。
　引用発明１の「後部連結杆より上方に突出する部分」は，背凭れの両側部を支持するための背凭れ支持杆であって，背凭れ支持杆には「（背凭れの）取付孔」が嵌合しているから，引用発明１の「背凭れ支持杆」，「（背凭れの）取付孔」は，「取付部」，「被取付部」の関係にあるという概念において，本件訂正特許発明１の「取付部」，「被取付部」と共通している。
　引用発明１の「背凭れ」は，背凭れ支持杆に嵌合可能な上下方向の取付孔を左右の側部フレームの下部に有し，「左右の肘掛け」は，背凭れの側部フレームの外側面に固定され，「背凭れ」及び「左右の肘掛け」は，共通のボルトにより背凭れ支持杆に固定されるものであって，「背凭れ支持杆」は「後部脚杆」の一部であり「側脚」を構成する部材であるから，引用発明１は「側脚」に支持された「背凭れ」及び「左右の肘掛け」を有するものであるといえ，本件訂正特許発明１の「支持フレーム」に支持された「肘掛け」及び「背凭れ」を備える椅子という概念において共通している。
　以上のことより，両者は，
〈一致点〉
　「金属製のパイプ材により構成され，後脚と，この後脚の下端部に連続させて前方に延出するベースと，このベースの前端に連続し上方に起立する前脚と，この前脚の上端に連続し後方に延出する座受とを共通のパイプ材により一体に形成し，側面視において閉ループ構造を有した支持フレームと，肘掛けと，背凭れとを備えてなる椅子であって，
前記背凭れと前記肘掛けとが樹脂により成形されたものであり，
前記肘掛けが，前後方向に延び後端が前記背凭れに取り付けられる肘掛け本体を備えてなる椅子」である点で一致し，以下の点で相違している。
＜相違点１＞
　本件訂正特許発明１の「背凭れ」は，「支持フレームに肘掛けを介して支持された背凭れ」であるところ，引用発明１の「背凭れ」は，支持フレームに肘掛けを介して支持されたものではない点。
＜相違点２＞
　本件訂正特許発明１において，「背凭れと前記肘掛けとが樹脂により一体に成形されたもの」であるところ，引用発明１の「背凭れと肘掛け」は，樹脂により一体に成形されたものではない点。
＜相違点３＞
　本件訂正特許発明１において，「肘掛け」が，「前後方向に延び後端が背凭れに連設された肘掛け本体と，肘掛け本体の前端に設けられ後脚の上端部に備えた取付部に取り付けられる被取付部とを備える」のに対して，引用発明１の「肘掛け」は「（肘掛け本体の）後端が背凭れに連設」されたものでも，「（肘掛け本体の）前端に設けられ後脚の上端部に備えた取付部に取り付けられる被取付部とを備える」ものでもない点。
＜相違点４＞
　本件訂正特許発明１において，「肘掛け本体と被取付部とを側面視においてくの字状に屈曲した形状をなすように一体に成形」したものであるところ，引用発明１の「肘掛け本体と被取付部」は，「側面視においてくの字状に屈曲した形状」でも「一体に成形」したものでもない点。
＜相違点５＞
　「被取付部」に関して，本件訂正特許発明１のものは「肘掛け」が備え，かつ「同一構造をなす他の椅子の被取付部の背面と本件椅子の被取付部の前面とが当接又は近接する状態で当該他の椅子をスタッキングさせることができるようにしたものであり，前記被取付部が下方に開口する有底筒状をなしたものであり，前記被取付部の前後方向の外形寸法が，前記被取付部の左右方向の外形寸法よりも小さく設定」されているのに対して，本件訂正特許発明１の「被取付部」に対応する，引用発明１の「（背凭れの）取付孔」は，「背凭れ」が備え，引用発明１の椅子が「スタッキングできる」かについて不明であるところ，仮にスタッキングができたとしても「同一構造をなす他の椅子の被取付部の背面と本件椅子の被取付部の前面とが当接又は近接する」かについては不明であり，「被取付部の前後方向と左右方向の外形寸法の比」が不明である点。
　上記相違点について検討する。
　事案に鑑み，相違点５について検討する。
　引用文献２乃至４において，相違点５に係る本件訂正特許発明１の発明特定事項である「同一構造をなす他の椅子の被取付部の背面と本件椅子の被取付部の前面とが当接又は近接する状態で当該他の椅子をスタッキングさせることができるようにしたものであり，前記被取付部が下方に開口する有底筒状をなしたものであり，前記被取付部の前後方向の外形寸法が，前記被取付部の左右方向の外形寸法よりも小さく設定」することについて，記載も示唆もされておらず，該発明特定事項は本願出願前において周知技術であるともいえない。
　そして，本件訂正特許発明１は，当該発明特定事項のうち特に「被取付部の前後方向の外形寸法が，前記被取付部の左右方向の外形寸法よりも小さく設定」することを備えることによって「スタッキングに伴う前後方向のピッチを短くする（段落【００３２】）」という，本願明細書に記載された顕著な効果を奏するものである。
　したがって，他の相違点について検討するまでもなく，請求項１に係る発明は，引用発明１乃至４に記載された各引用発明に基づいて当業者が容易に発明をすることができたものではなく，請求項１に係る特許は特許法第２９条第２項の規定に違反してされたものではない。
　また，請求項２乃至４はいずれも，本件訂正特許発明１である請求項１に係る発明を直接的又は間接的に引用しており，本件訂正特許発明１が引用発明１に基づいて当業者が容易に発明をすることができたものではない以上，本件訂正特許発明に新たな発明特定事項を付加して限定した請求項２乃至４に係る係る特許も，特許法第２９条第２項の規定に違反してされたものではない。
　なお，異議申立人は平成３０年１０月１２日提出の意見書に添付した参考資料１（実願昭５７−６５４１３号（実開昭５８−１６８２４８号）のマイクロフィルム），及び参考資料２（意匠登録第１４６５８２０号公報）を提出し，上記参考資料１及び２には「椅子をスタッキングさせるために，被取付部の前後方向の外形寸法が，被取付部の左右方向の外形寸法よりも小さく設定されているようにすることは，周知の事項である。」と述べているので検討する。
　参考資料１のいすにおいて，本件訂正特許発明１の「被取付部」に相当する部材は，被取付部が肘掛けに設けられていることを踏まえると「被連結部１３，２３」である。
　そして，参考資料１の明細書第７頁第６〜１２行に「座板Ａにおける連結部２が芯板１の側方に突出した状態に設けられているので，いすを積重ねる際，上記連結部や脚体Ｂ，背もたれ部材Ｃが他のいすの座板Ａ…を上下に重ね合わせた状態に積上げていくことができる。」と記載されており，参考資料１のいすは，異議申立人の主張するとおり「被連結部の前後方向の外形寸法が，被連結部の左右方向の外形寸法よりも小さく設定」されているとしても，そのことによって「スタッキングに伴う前後方向のピッチを短くする」という効果を奏するために設定されたものであるとは認められない。
　参考資料２の椅子において，肘掛けと後脚がどのように取り付けられているかについて具体的な構造について明らかではないが，【右側面図】の肘掛けの前端から側面視において屈曲し，かつ下方に延出して後脚に連結される「部分」が，本件訂正特許発明１の「被取付部」の相当すると認められる。
　しかしながら，【積み重ねた状態を示す参考図】及び【Ｂ−Ｂ拡大断面図】から，上記「部分」は，パイプ状の後脚を同心円状に被覆していると考えられ，異議申立人の主張するとおり「部分の前後方向の外形寸法が，部分の左右方向の外形寸法よりも小さく設定」されていると認めることはできない。
　仮に肘掛け前端部を含めて「部分の前後方向の外形寸法が，部分の左右方向の外形寸法よりも小さく設定」されているとしても，そのことによって「スタッキングに伴う前後方向のピッチを短くする」という効果を奏するために設定されたものと認めることはできない。
　以上のとおりであるから，参考資料１及び２の存在によっても「スタッキングに伴う前後方向のピッチを短くする」ために，「椅子の被取付部の前後方向の外形寸法が，被取付部の左右方向の外形寸法よりも小さく設定」されていることは，周知の事項であるとはいえない。
　５　平成３０年４月２４日付けで通知した取消理由について
　当審において，平成３０年４月２４日付けで通知した取消理由は，平成３０年６月２６日付けで通知した取消理由における引用文献１乃至４と同じ引用文献１乃至４を用いたものであって，その概要は以下のとおりである。
　本件の請求項１乃至４に係る特許は，本件出願日前に日本国内において頒布された下記の引用文献１乃至４に記載された発明に基づいて，その出願前にその発明の属する技術の分野における通常の知識を有する者が容易に発明をすることができたものであるから，特許法第２９条第２項の規定により特許を受けることができないとしたものである。
　しかしながら，本件訂正特許発明１と引用発明１との間に上記相違点５が存在することは，「（１）平成３０年６月２６日付けで通知した取消理由」で検討したとおりであり，相違点５に係る本件訂正特許発明１の発明特定事項が，引用発明２乃至４において記載も示唆もなく，該発明特定事項が本願出願前において周知技術であるともいえないことも，上述のとおりである。。
　したがって，本件訂正特許発明１は，相違点５に係る本件訂正特許発明１の発明特定事項により，他の相違点について検討するまでもなく，引用文献１乃至４に記載された各引用発明に基づいて当業者が容易に発明をすることができたものではなく，請求項１に係る特許は特許法第２９条第２項の規定に違反してされたものではない。
　また，請求項２乃至４はいずれも，本件訂正特許発明１である請求項１に係る発明を直接的又は間接的に引用しており，本件訂正特許発明１が引用発明１に基づいて当業者が容易に発明をすることができたものではない以上，本件訂正特許発明１に新たな発明特定事項を付加して限定した請求項２乃至４に係る係る特許も，特許法第２９条第２項の規定に違反してされたものではない。
　６　取消理由通知において採用しなかった特許異議申立理由について
　（１）特許異議申立人の主張
　ア　特許異議申立人は，訂正前の特許請求の範囲に関し，特許異議申立書において，本件特許発明１は甲第１号証，甲第２号証に記載の発明及び甲第２号証，甲第３号証，甲第４号証に記載の周知の事項に基づいて，当業者が容易に発明できたものと主張している。
　イ　特許異議申立人は，訂正前の特許請求の範囲に関し，特許異議申立書において，本件の請求項１乃至４に係る発明の特許は，発明の詳細な説明に記載した範囲を超えるものであるから，特許法第３６条第６項第１号の規定に違反してされたものと主張している。
　（２）アについて検討する。
　ア　本件訂正特許発明１について
　特許異議申立人のいう，甲第２号証，甲第３号証，甲第４号証に記載の周知の事項とは，背凭れが「支持フレームに肘掛けを介して支持され」るようにし，前後方向に延び後端が前記背凭れに連設された肘掛け本体が，「この肘掛け本体の前端に設けられ前記後脚の上端部に備えた取付部に取り付けられる被取付部とを備えてなり，前記肘掛け本体と前記被取付部とを側面視においてくの字状に屈曲した形状をなすように一体に成形」することである。（特許異議申立書第１２頁第５乃至９行）
　そして，本件訂正特許発明１と甲第１号証に記載の発明である引用発明１との間に相違点５が存在することは，「第３　取消理由について」，「４　判断」，「ア　対比」で述べたとおりである。
　また，相違点５に係る本件訂正特許発明１の発明特定事項に関して，甲第２及び甲第４号証に記載の発明（引用発明２及び４）において記載も示唆もないことも，「第３　取消理由について」，「４　判断」，「ア　対比」で述べたとおりである。
　さらに，甲第３号証に記載の発明について検討すると，甲第３号証に周知の事項が記載されているとしても，相違点５に係る本件訂正特許発明１の発明特定事項について記載も示唆もない。
　したがって，他の相違点について検討するまでもなく，本件特許発明１は甲第１号証，甲第２号証に記載の発明及び甲第２号証，甲第３号証，甲第４号証に記載の周知の事項に基づいて当業者が容易に発明をすることができたものではなく，請求項１に係る発明の特許は特許法第２９条第２項の規定に違反してされたものではない。
　（２）イについて検討する。
　本件訂正特許発明１における「肘掛け本体と前記被取付部とを側面視においてくの字状に屈曲した形状をなすように一体に成形している」は，肘掛け本体と被取付部との形状を「側面視においてくの字状に屈曲した」と限定し，さらに肘掛け本体と被取付部とが「一体に成形」と，両部材が単一の部材であるのか別部材であるのかを限定しているにすぎないものである。
　そして，明細書の段落【００３４】の「そして，嵌合凹部ｕ１が，肘掛け本体２１と被取付部ｕとによって形成された屈曲部分Ｆに位置するように設定されている。このように構成することにより，荷重が集中し易い屈曲部分Ｆにおける樹脂の肉厚を多く得るようにしている。」は，屈曲部分Ｆにおける樹脂の肉厚を多くすることを述べているのであって，肘掛け本体と被取付部との形状や肘掛け本体と被取付部の部材の構成とは関係がない。
　したがって，本件訂正特許発明１における上記発明特定事項と，明細書の段落【００３４】の当該記載とは互いに関連ある記載ではないから，このことをもって，特許請求の範囲に関して，本件の請求項１乃至４に係る発明が，発明の詳細な説明に記載した範囲を超えると認めることはできない。
　また，「くの字状」については，技術常識として，極端な鋭角や鈍角を除き，屈曲部に対して通常用いられる用語であり，本件訂正特許発明１においても，椅子の肘掛けと一体に成形された被取付部が，常識の範囲内の角度をもって屈曲していることを限定しているにすぎず，本件訂正特許発明１においてこの用語が用いられることで，発明の詳細な説明に記載した範囲を超えるものであるとは認められない。
　したがって，本件の請求項１乃至４に係る発明は，発明の詳細な説明に記載した範囲を超えるものではなく，発明の詳細な説明に記載されたものであるから，本件の請求項１乃至４に係る発明の特許は，特許法第３６条第６項第１号の規定する要件を満たしていないものに対してされたものではない。
第４　むすび
　以上のとおりであるから，取消理由通知に記載した取消理由及び特許異議申立書に記載した特許異議申立理由によっては，本件請求項１乃至４に係る特許を取り消すことはできない。
　また，他に本件請求項１乃至４に係る特許を取り消すべき理由を発見しない。
　よって，結論のとおり決定する。
【異議決定日】
平成３０年１１月８日（２０１８．１１．８）
【訂正の要旨】
審決（決定）の【理由】欄参照。
（５４）【発明の名称】
椅子
　【技術分野】
　【０００１】
　本発明は、椅子に関する。
　【背景技術】
　【０００２】
　従来から、背凭れと肘掛けとが樹脂により一体に成形された椅子が知られている（例えば、特許文献１を参照）。このものは、一定の強度を確保するため、支持フレームが、比較的大きな径をなすパイプ素材により構成されており、当該支持フレームを構成する後脚の上端部分が、肘掛けの前側の部位に接続するようになっている。
　【０００３】
　ところが、従来のものでは、背凭れ及び肘掛けにかかる荷重の殆どが、後脚により受け付けられる構造になっているため、支持フレームの強度を確保するための設計自由度が低いものとなっており、例えば、支持フレームを小径化するにあたっては一定の限界があった。
　【先行技術文献】
　【特許文献】
　【０００４】
　【特許文献１】特開２００４−１９４９１８号公報
　【発明の概要】
　【発明が解決しようとする課題】
　【０００５】
　本発明は、以上のような事情に着目してなされたもので、背凭れと肘掛けとが樹脂により一体成形された椅子において、支持フレームの強度を確保するための設計自由度の高い椅子を提供することにある。
　【課題を解決するための手段】
　【０００６】
　すなわち、本発明の椅子は次の構成をなしている。
　【０００７】
　請求項１に記載の椅子は、金属製のパイプ材により構成され、後脚と、この後脚の下端部に連続させて前方に延出するベースと、このベースの前端に連続し上方に起立する前脚と、この前脚の上端に連続し後方に延出する座受とを共通のパイプ材により一体に形成し、側面視において閉ループ構造を有した支持フレームと、この支持フレームに肘掛けを介して支持された背凭れとを備えてなる椅子であって、前記背凭れと前記肘掛けとが樹脂により一体に成形されたものであり、前記肘掛けが、前後方向に延び後端が前記背凭れに連設された肘掛け本体と、この肘掛け本体の前端に設けられ前記後脚の上端部に備えた取付部に取り付けられる被取付部とを備えてなり、前記肘掛け本体と前記被取付部とを側面視においてくの字状に屈曲した形状をなすように一体に成形しているものであ
り、同一構造をなす他の椅子の被取付部の背面と本件椅子の被取付部の前面とが当接又は近接する状態で当該他の椅子をスタッキングさせることができるようにしたものであり、前記被取付部が下方に開口する有底筒状をなしたものであり、前記被取付部の前後方向の外径寸法が、前記被取付部の左右方向の外径寸法よりも小さく設定されてい
　【０００９】
　請求項２に記載の椅子は、請求項１に係る構成において、前記パイプ材として直径１３．１ｍｍ〜１５ｍｍのものが適用されているものである。
　【００１０】
　請求項３に記載の椅子は、請求項１又は２に係る構成において、前記肘掛け本体の肘当てが、水平面に対して前傾する肘当て面を当該肘当ての上面全域に有したものである。
　【００１１】
　請求項４に記載の椅子は、請求項１、２又は３に係る構成において、前記座受の後端が、側面視において前記後脚と前記座受とが交差する位置よりも後方に位置しているものである。
　【発明の効果】
　【００１３】
　以上説明したように本発明によれば、背凭れと肘掛けとが樹脂により一体成形された椅子において、支持フレームの強度を確保するための設計自由度の高い椅子を提供することができる。
　【図面の簡単な説明】
　【００１４】
　【図１】本発明の一実施形態を示す斜視図。
　【図２】同実施形態における正面図。
　【図３】同実施形態における平面図。
　【図４】同実施形態における側面図。
　【図５】同実施形態における椅子に他の椅子をスタッキングした状態を示す側面図。
　【図６】同実施形態における分解斜視図。
　【図７】同実施形態における分解背面図。
　【図８】同実施形態における後方斜視図。
　【図９】図４におけるＡ−Ａ線拡大断面図。
　【図１０】図４におけるＢ−Ｂ線拡大断面図。
　【図１１】図３におけるＣ−Ｃ線拡大断面図。
　【図１２】同実施形態における背カバーを取り付けた状態の中央側断面図。
　【図１３】図３におけるＤ−Ｄ線拡大断面図。
　【発明を実施するための形態】
　【００１５】
　以下、本発明の一実施形態を、図１〜１３を参照して説明する。
　【００１６】
　この実施形態は、本発明を細径のパイプ材を使用した椅子Ｓに適用したものである。この椅子Ｓは、例えば、オフィスや一般的な会議室、或いは、高齢者の多い施設等において好適に使用される。
　【００１７】
　椅子Ｓは、肘掛け２及び背凭れである背板３が樹脂により一体に形成されている。そして、肘掛け２の前後方向の寸法は比較的短寸に設定されており、この肘掛け２の前側の部位を、支持フレーム１の左右の後脚１１の上端部に接続させている。すなわち、肘掛け２の肘掛け本体２１は支持フレーム１によって片持ち梁状に支持されており、背板３は肘掛け２を介して支持フレーム１に支持されている。椅子Ｓは、図５において具体的に示すように、同一構造をなす他の椅子Ｓ’を上下方向に複数スタッキング可能に構成されている。なお、説明の便宜上、図５において、椅子Ｓと同一構造をなす他の椅子Ｓ’の符号には「’」を付している。
　【００１８】
　椅子Ｓは、支持フレーム１と、この支持フレーム１に支持された肘掛け２、背板３、及び、座４とを備えている。背板３には、背カバーＴが着脱可能に取り付けられるようになっている。以下、詳述する。
　【００１９】
　＜支持フレーム＞
　支持フレーム１は、金属製のパイプ材ｔ１を主体に構成されている。本実施形態の椅子Ｓは、パイプ材ｔ１として直径１５ｍｍ以下のものを適用することができ、具体的には、直径約１３．１ｍｍのパイプ材ｔ１が使用されている。支持フレーム１は、上端部で肘掛け２の前側の部位に接続する後脚１１と、後脚１１の下端部に連続させて前方に延出するベース１２と、ベース１２の前端に連続し上方に起立する前脚１３と、前脚１３の上端に連続し後方に延出する座受１４とを備え、これらを共通のパイプ材ｔ１により一体に形成したものである。
　【００２０】
　後脚１３と座受１４は側面視において交差している。後脚１３と座受１４とは、側面視における後脚１３と座受１４とが交差する位置において、水平杆１５を介して相互に剛結されている。水平杆１５を介して接続する後脚１３及び座受１４の各部分は左右方向に離間している。座受１４は、後脚１３よりも内側に位置している。座受１４の後端は、側面視において後脚１１と座受１４とが交差する位置よりも後方に位置している。
　【００２１】
　左右の座受１４間には、座４を支持するための帯状をなす前横架材１６と後横架材１７が架設されている。左右のベース１２の前側と後側の部位には、ブロック状をなす樹脂製の接地体１８が取り付けられている。図５に示すように、椅子Ｓに、同一構造をなす他の椅子Ｓ’をスタッキングする際には、他の椅子Ｓ’の接地体１８’の下面が支持フレーム１のベース１２の上面に接するようになっている。
　【００２２】
　支持フレーム１は、側面視においてループ構造を有している。具体的には、後脚１１と座受１４とがこれらに介在する水平杆１５に対してそれぞれ溶着されており、後脚１１、ベース１２、前脚１３、座受１４、水平杆１５とによって、剛性に優れた閉ループ構造を形成している。
　【００２３】
　後脚１１は、側面視において床面等の水平面に対して約６５〜７０°の範囲で前傾している。後脚１１の上端部には、肘掛け２の被取付部ｕが取り付けられる取付部ｔを備えている。
　【００２４】
　取付部ｔは、上方に向かって凸形状を成すものであり、金属製のパイプ材ｔ１と、パイプ材ｔ１の中空部ｔ１１を埋めるように当該中空部ｔ１１に配されるとともに一部分をパイプ材ｔ１の端部から突出させた金属製の芯金部材ｔ２とを備えている。なお、図示している芯金部材ｔ２は、中実のものであるが、中空パイプ状のものであってもよい。また、取付部ｔは、パイプ材ｔ１の要素と中実の芯金部材ｔ２の要素とを一体的に形成したものであっても良い。芯金部材ｔ２におけるパイプ材ｔ１の端部から突出させた突出部分ｔ２１には、芯金部材ｔ２の軸心と直交する方向に第一のねじ孔ｈ１が穿設されている。芯金部材ｔ２は、図６に隠れ線で示すように、後脚１１を構成するパイプ材ｔ１の内部にまで延伸し、当該芯金部材ｔ２の下端は、後脚１１の下部にまで延びており、パイプ材ｔ１の強度を向上させている。なお、支持フレーム１の取付部ｔと肘掛け２の被取付部ｕとの具体的な取り付けについては後述する。
　【００２５】
　ベース１２は、床面と略平行に配されるものであり、後脚１１の下端と前脚１３の下端との間を繋いでいる。
　【００２６】
　＜肘掛け＞
　肘掛け２は、背板３と樹脂により一体に形成されたもので、後端が背板３に連設された肘掛け本体２１と、肘掛け本体２１の前端に設けられた被取付部ｕとを備えている。肘掛け本体２１と被取付部ｕとは樹脂により一体に形成されている。
　【００２７】
　肘掛け本体２１は、前後方向に延びるブロック状のもので、肘当て２１１と、肘当て２１１の下面に添接された補強ブロック２１２とを備えている。
　【００２８】
　肘当て２１１は、床面等の水平面に対して約７°前傾する肘当て面を有した平板状のものである。もちろん、肘当て面の前傾角度は７°のものには限定されない。このように肘当て面を前傾に構成することで、着座者がどのような体格であっても肘掛け２の機能を有効に使うことができるものとなるとともに、着座者が立ち上がる際の補助的機能を有効に発揮するものとなる。肘当て２１１は、その後端部分を背板３における両側端の背面の位置よりも後方に延出させている。肘当て２１１の内側面は、補強ブロック２１２の内側面と面一に設定されている。肘当ての２１１の外側縁は、補強ブロック２１２の外側縁よりも外方に突出している。
　【００２９】
　補強ブロック２１２は、上縁を肘当て２１１の下面に連続させるとともに前縁を被取付部ｕの外周面に一体化させた複数枚の壁ｋを備えている。本実施形態では、補強ブロック２１２は、左右方向に間隔をあけて平行に配された３枚の壁ｋと、隣接する壁ｋ同士を結合するリブｒとを備えている。リブｒは、図１３に示すように、後方に向かって漸次降下するように傾斜している。また、補強ブロック２１２の後部には、後方に向かって縦長矩形状に開口した後向き開口穴部ｐ１が２箇所に形成され、当該後向き開口穴部ｐ１は左右に並んで設けられている。なお、補強ブロック２１２には、複数の壁ｋの端部とリブｒの端部とによって、下方に向かって縦長矩形状に開口した下向き開口穴部ｐ２が６箇所に形成されている。補強ブロック２１２は、複数の後向き開口穴部ｐ１と下向き開口穴部ｐ２を備えているので、使用者が椅子Ｓを持ち運びする際に各開口穴部ｐ１、ｐ２に手指が引っ掛かり易いものとなり、滑り止めとしての機能を発揮し得るものとなっている。
　【００３０】
　被取付部ｕは、支持フレーム１の後脚１１に接続する部位をなすもので、下方に開口する有底筒状のものである。被取付部ｕの前後方向の外径寸法は、被取付部ｕの左右方向の外径寸法よりも小さく設定されている。被取付部ｕにおける開口部付近の下端部と肘当て２１１に連設する上端部を除いた部分、すなわち、被取付部ｕにおける上下中間部分における左右方向の外径寸法は、略同じ寸法に設定されている。被取付部ｕは、パイプ材ｔ１の外径よりも小径な突出部分ｔ２１に嵌合する嵌合凹部ｕ１と、パイプ材ｔ１に嵌合する外嵌合部ｕ２とを備えている。換言すれば、被取付部ｕは、突出部分ｔ１が嵌合する小径穴ｍ１と、小径穴ｍ１に連続しパイプ材ｔ１が嵌合する大径穴ｍ２とを具備している。
　【００３１】
　本実施形態の椅子Ｓは、図５に示すように、同一構造をなす他の椅子Ｓ’の被取付部ｕ’が、被取付部ｕに当接する状態で当該他の椅子Ｓ’をスタッキングできるようになっている。より具体的に言えば、他の椅子Ｓ’の被取付部ｕ’の背面と、椅子Ｓの被取付部ｕの前面とが当接する状態でスタッキングできるようになっている。
　【００３２】
　そして、図１０に示すように、被取付部ｕにおける支持フレーム１の後側に位置する部位ｕｂ、すなわち、後脚１１の後側に位置する部位ｕｂの肉厚ｗ２は、被取付部ｕにおける支持フレーム１の前側に位置する部位ｕｆ、すなわち、後脚１１の前側に位置する部位ｕｆの肉厚ｗ１よりも薄く設定されている。換言すれば、後脚１１の後側に位置する部位ｕｂの前後方向の厚み寸法ｗ２は、被取付部ｕにおける支持フレーム１の前側に位置する部位ｕｆの前後方向の厚み寸法ｗ１よりも短く設定されている。このようにすることで、スタッキングに伴う前後方向のピッチを短くするようにしている。
　【００３３】
　被取付部ｕは、側部に第一のねじ挿通孔ｎ１を備えている。そして、芯金部材ｔ２の突出部分ｔ２１に設けられた第一のねじ孔ｈ１に、第一のねじ挿通孔ｎ１を通過したねじｖ１を螺着することにより支持フレーム１の取付部ｔと肘掛け２の被取付部ｕとを取り付けるようにしてある。被取付部ｕは、後部に第二のねじ挿通孔ｎ２を備えている。そして、パイプ材ｔ１及び芯金部材ｔ２に、これらパイプ材ｔ１及び芯金部材ｔ２の軸心と直交する方向に連通して設けられた第二のねじ孔ｈ２に、第二のねじ挿通孔ｎ２を通過したねじｖ２を螺着することにより支持フレーム１の取付部ｔ１と肘掛け２の被取付部ｕとを取り付けるようにしてある。
　【００３４】
　また、肘掛け２は、図４等に示すように、肘掛け本体２１と被取付部ｕとが側面視においてくの字状に屈曲した形状をなすように樹脂により一体に成形されている。そして、嵌合凹部ｕ１が、肘掛け本体２１と被取付部ｕとによって形成された屈曲部分Ｆに位置するように設定されている。このように構成することにより、荷重が集中し易い屈曲部分Ｆにおける樹脂の肉厚を多く得るようにしている。
　【００３５】
　なお、本実施形態の椅子Ｓは、肘掛け本体２１とこの肘掛け本体２１の前端に設けられた被取付部ｕによって側面視くの字形状を構成しており、一般的な肘掛けのように後部分を片持ち支持されて前部分を突出端としているものとは異なった構成となっている。このため、椅子Ｓは、着座状態から起立する際に着座者の被服等が、肘掛け２に引っ掛かりにくくなり、好適である。
　【００３６】
　＜背板＞
　背板３は、板状をなした樹脂製のものであり、平面視において中央部が平面視において後方に向かって凸となるように湾曲した形状をなしている。背板３は、上端部に側面視において後方に向かって屈曲する屈曲部３１と、下端に外方に向けて開放された溝３２とを備えている。
　【００３７】
　背板３は、肘掛け２とともに樹脂により一体に成形されたものであり、溝３２は、背板３の下縁における左右の肘掛け２間に形成されている。溝３２は、下向きに開口しているものである。この溝３２は、背カバーＴを取り付ける際に用いられるものであるが、下方に向けて開口しているため、背カバーＴを取り付けない場合であっても外観に影響を与えにくいようになっている。背板３に対する背カバーＴの取り付けについては後述する。
　【００３８】
　背板３の左右幅寸法は、支持フレーム１の左右のベース１２間の離間寸法よりも短く設定されている。なお、背板３の左右縁部から外側方に突出した態様で設けられた左右の肘掛け２は、左右のベース１２の略真上に位置するように設定されている。
　【００３９】
　＜座＞
　座４は、支持フレーム１に支持されるものであり、樹脂により形成された座本体４１と、座本体４１の上に配されたクッション４２とを備えたものである。座４は、先端部が下方に垂れ下がった形状をなしている。
　【００４０】
　座本体４１は、左右側縁部における後側の部位に、支持フレーム１の水平杆１５の覆うためのカバー部４１１を備えている。カバー部４１１は、水平杆１５の周囲と後脚１１の前後に位置するようになっており、具体的に言えば、水平杆１５の上面側を覆う上カバー部４１１ａと、水平杆１５の前後側を覆うとともに後脚１１の前後側を覆う位置まで延出した前後カバー部４１１ｂとを備えている。
　【００４１】
　クッション２２は、クッション性のあるスポンジ素材の外面に張り地を張り設けた通常のものである。
　【００４２】
　＜背カバー＞
　背カバーＴは、背板３の少なくとも一部を覆うものである。背カバーＴは、背カバー本体Ｔ１と、背カバー本体Ｔ１の下部に配された挿入部Ｔ２とを備えてなる。
　【００４３】
　背カバー本体Ｔ１は、布や人工皮革等のシート状の素材により作られるもので、主として背板３の前面側に配される前カバー部Ｔ１ａと、主として背板３の後面側に配される後カバー部Ｔ１ｂとを備えている。これら前後カバー部Ｔ１ａ、Ｔ１ｂの上縁部及び側縁部同士を縫い合わせることにより、下方に向かって開口された袋状部Ｔ１１が形成されている。このようにして背カバーＴの上部に設けられた袋状部Ｔ１１は、背板３に被せるためのもので、背板３の屈曲部３１と協働して装着時の位置ずれを抑制している。なお、前カバー部Ｔ１ａの後側や袋状部Ｔ１１の内面には、クッション性を付与したり装着安定性を付与したりするべく、別途クッション素材を設けるようにしても良い。
　【００４４】
　挿入部Ｔ２は、背カバーＴを背板３に取り付ける際に、背板３に形成された溝３２に挿入されるもので、本実施形態においては、背カバー本体Ｔ１の下端に縫いつけられた樹脂製の帯状部材により構成されている。
　【００４５】
　背カバーＴの背板３への取り付けは、まず、背板３の上端部に袋状部Ｔ１１を被せて所定の箇所に位置決めし、しかる後に、背カバー本体Ｔ１の下端に設けた挿入部Ｔ２の先端を背板３の下端に形成された溝３２に差し入れて、背カバー本体Ｔ１の下縁部分とともに溝３２の内部に押し込むことにより行われる。
　【００４６】
　なお、背カバーＴの上部を袋状にして背板３の上部に被せるようにする場合、本実施形態に示すように、背板３の上縁部には溝を設けず、下縁のみに溝３２を設けるようにするのが好適である。このようにすると、背カバーＴを背板３に装着しない場合には、背板３の上縁部には溝が表出しないため外観がすっきりとするものとなり、背カバーＴは上部が袋状をなしているため背板３に対しても位置ずれが抑制された態様で取り付けることができるものとなる。
　【００４７】
　以上説明したように、本実施形態に係る椅子Ｓは、金属製のパイプ材ｔ１を主体に構成され側面視においてループ構造を有した支持フレーム１と、この支持フレーム１に支持された背凭れ３及び肘掛け２とを備えてなる椅子Ｓであり、背凭れ３と肘掛け２とが樹脂により一体に成形されたものであり、支持フレーム１が、肘掛け２の前側の部位に接続しているものである。このため、背凭れ３と肘掛け２とが樹脂一体成形されたものを、ループ構造を有した支持フレーム１により支持しているため、着座者の荷重を、支持フレーム１の全体で受け止めるものとなり、強度に優れた椅子にすることができる。例えば、本実施形態で具体的に示すように、椅子Ｓにおいて、パイプ材ｔ１として比較的小径のものを適用することができるものとなる。
　【００４８】
　支持フレーム１が、上端部で肘掛け２の前側の部位に接続する後脚１１と、後脚１１の下端部に連続させて前方に延出するベース１２と、ベース１２の前端に連続し上方に起立する前脚１３と、前脚１３の上端に連続し後方に延出する座受１４とを共通のパイプ素材により一体に形成したものであるため、後脚１１、ベース１２、前脚１３及び座受１４を主体としたループ構造を有した支持フレーム１を構成するものとなり、比較的シンプルにループ構造を構成するものとなる。
　【００４９】
　肘掛け２が、後端が背凭れ３に連設された肘掛け本体２１と、肘掛け本体２１の前端に設けられた被取付部ｕとを備えてなり、肘掛け本体２１と被取付部ｕとを側面視において屈曲した形状をなすように一体に成形しているものであるため、ループ構造を有する支持フレーム１が被取付部ｕと接続し、肘掛け２及び背凭れ３に作用する着座者の荷重を好適に受け付けるものとなる。
　【００５０】
　肘掛け２の肘当て２１１が、水平面に対して前傾する肘当て面を有したものであるので、着座者がどのような体格であっても肘掛け２の機能を有効に使うことができるものとなるとともに、着座者が立ち上がる際の補助的機能を有効に発揮するものとなる。
　【００５１】
　座受１４の後端が、側面視において後脚１１と座受１４とが交差する位置よりも後方に位置しているものであるため、支持フレーム１が、着座者の荷重をバランスよく受け付けるための設計の自由度に優れたものとなる。
　【００５２】
　座受１４と後脚１１とを、交差する位置において水平杆１５を介して相互に剛結しているものであるため、スタッキングの際に、他の椅子Ｓ’の座４’を椅子Ｓの座４の上に重ね易くするための設計自由度に優れたものとなる。
　【００５３】
　座受１４に支持される座４が、水平杆１５を覆うカバー部４１１を備えているものであるため、水平杆１５の周囲を外観上好適なものとすることができるとともに、支持フレーム１に座４を取り付ける際には、位置決め部として好適に機能するものとなる。
　【００５４】
　肘掛け本体２１が、肘当て２１１と、肘当て２１１の下面に添接された補強ブロック２１２とを備えたものであるため、強度に優れた肘掛け本体２１を提供することができ、上下方向の寸法を抑制することによりスタッキング効率の良好に寄与し得るものとなる。
　【００５５】
　補強ブロック２１２が、上縁を肘当て２１１の下面に連続させるとともに前縁を被取付部ｕの外周面に一体化させた複数枚の壁ｋを備えたものであるので、いわゆる構造材として軽量化に優れるとともに強度に優れたものとなる。
　【００５６】
　肘掛け本体２１における補強ブロック２１２のリブｒが、後方に向かって漸次降下するように傾斜しているため、個性的な外観の表出に寄与し得るものとなるとともに、壁ｋとリブｒにより構成される下向き開口穴部ｐ２の数や大きさを設定し易いものとなる。
　【００５７】
　なお、本発明は、以上に詳述した実施形態に限られるものではない。
　【００５８】
　上述した実施形態では、支持フレームのループ構造は、水平杆の存在を前提としているものであったが、このようなものには限定されず、水平杆の無い態様でループ構造を形成するようにしても良い。例えば、後脚と座受とを溶接等により直接接続する態様などが考えられる。
　【００５９】
（削除）
　【００６０】
　上述した実施形態では、被取付部が嵌合凹部と外嵌合部とを備えたものを示したが、これに限定されるものではなく、少なくとも取付部の突出部分が内嵌される嵌合凹部を備えたものであれば良い。
　【００６１】
　上述した実施形態では、背カバーＴを取り付けるための溝が、背板の下縁にのみ形成されているものを示したが、これに限定されるものではなく、溝を背板の周囲に適宜形成するようにしてもよい。
　【００６２】
　上述した実施形態では、背カバーの挿入部が、帯状であるものを示したが、これに限定されるものではない。例えば、挿入部がコード部材や紐等の線状体であってもよい。
　【００６３】
　上述した実施形態では、被取付部における支持フレーム（後脚）の後側に位置する部位の肉厚が、被取付部における支持フレームの前側に位置する部位の肉厚よりも薄く設定されているものを示したが、これに限定されるものではなく、逆に、被取付部における支持フレームの前側に位置する部位の肉厚が、被取付部における支持フレームの後側に位置する部位の肉厚よりも薄く設定されているものであってもよい。
　【００６４】
　上述した実施形態では、椅子に同一構造をなす他の椅子をスタッキングする際に、同一構造をなす他の椅子の被取付部が、椅子の被取付部に当接するものを示したが、これに限定されるものではなく、近接するものであれば良い。
　【００６５】
　上述した実施形態では、取付部に第一のねじ孔と第二のねじ孔を設け、これらにねじをそれぞれ螺着させて被取付部を取り付けるようにしたいわゆる２箇所ねじ止め構造を有するものについて説明をしたが、必ずしも、このような構成に限定されるものではなく、１箇所ねじ止め構造であってもよい。例えば、第一のねじ孔に第一のねじを螺着して取り付けるだけの構成としても良いし、第二のねじ孔に第二のねじを螺着して取り付けるだけの構成としても良い。
　【００６６】
（削除）
　【００６７】
　その他、各部の具体的構成についても上記実施形態に限られるものではなく、本発明の趣旨を逸脱しない範囲で種々変形が可能である。
　【符号の説明】
　【００６８】
　１…支持フレーム
　２…肘掛け
　３…背凭れ
　４…座
　Ｔ…背カバー
（５７）【特許請求の範囲】
　【請求項１】
金属製のパイプ材により構成され、後脚と、この後脚の下端部に連続させて前方に延出するベースと、このベースの前端に連続し上方に起立する前脚と、この前脚の上端に連続し後方に延出する座受とを共通のパイプ材により一体に形成し、側面視において閉ループ構造を有した支持フレームと、この支持フレームに肘掛けを介して支持された背凭れとを備えてなる椅子であって、
前記背凭れと前記肘掛けとが樹脂により一体に成形されたものであり、
前記肘掛けが、前後方向に延び後端が前記背凭れに連設された肘掛け本体と、この肘掛け本体の前端に設けられ前記後脚の上端部に備えた取付部に取り付けられる被取付部とを備えてなり、
前記肘掛け本体と前記被取付部とを側面視においてくの字状に屈曲した形状をなすように一体に成形しているものであ
り、
同一構造をなす他の椅子の被取付部の背面と本件椅子の被取付部の前面とが当接又は近接する状態で当該他の椅子をスタッキングさせることができるようにしたものであり、
前記被取付部が下方に開口する有底筒状をなしたものであり、
前記被取付部の前後方向の外径寸法が、前記被取付部の左右方向の外径寸法よりも小さく設定されてい
　【請求項２】
前記パイプ材として直径１３．１ｍｍ〜１５ｍｍのものが適用されている請求項１記載の椅子。
　【請求項３】
前記肘掛け本体の肘当てが、水平面に対して前傾する肘当て面を当該肘当ての上面全域に有したものである請求項１又は２記載の椅子。
　【請求項４】
前記座受の後端が、側面視において前記後脚と前記座受とが交差する位置よりも後方に位置している請求項１、２又は３記載の椅子。